(57)【要約】【課題】  ＩＣカード読取装置を設置する際に、顧客企業が簡単にＩＣカードリーダ読取装置の設定を行うことができる記憶媒体読取装置および記憶媒体読取装置の初期設定プログラムを提供する。【解決手段】  非接触型ＩＣカード通信部１６より非接触型ＩＣカード３０に記録された情報が読み取られ、読取パターン記憶部１５２に複数種類の認識形式が記憶され、読み取られた情報は認識形式により認識の試行がされ、認識できた認識形式によって初期設定が行われるように記憶媒体読取装置を構成する。【選択図】  図２
2008282087.tif 000002
【特許請求の範囲】
【請求項１】
記憶媒体に搭載された集積回路に記録された情報を読み取る読取手段と、
前記読取手段により読み取った情報を認識するための複数種類の認識形式を記憶する記憶手段と、
前記記憶手段に記憶した複数種類の認識形式により前記読取手段で読み取った情報の認識を試行する認識試行手段と、
前記記憶手段に記憶した複数の認識形式の中で前記認識試行手段により前記情報の認識ができた認識形式に基づき初期設定を行う初期設定手段と
を備える記憶媒体読取装置。
【請求項２】
前記認識試行手段により前記情報の認識ができた認識形式を表示する表示手段
を更に備え、
前記初期設定手段は、
前記表示手段に表示された認識形式の中から所望の認識形式の選択を受け付け、該選択を受け付けた認識形式に基づき前記初期設定を行う請求項１記載の記憶媒体読取装置。
【請求項３】
記憶媒体に搭載された集積回路に記録された情報を読み取る読取手段と、
前記読取手段により読み取った情報を認識するための複数種類の認識形式を記憶する記憶手段と、
前記読取手段により読み取った情報の特定の領域の指定を受け付ける指定受付手段と、
前記記憶手段に記憶した複数の認識形式の中で前記指定受付手段により受け付けた前記特定の領域を認識対象として含む認識形式に基づき初期設定を行う初期設定手段と、
を備える記憶媒体読取装置。
【請求項４】
記憶媒体に搭載された集積回路に記録された情報を読み取る読取手段と、
前記読取手段により読み取った情報を認識するための複数種類の認識形式を記憶する認識形式記憶手段と、
前記記憶媒体の種別の入力を受け付ける入力受付手段と、
前記記憶手段に記憶した複数の認識形式の中で前記入力受付手段により入力を受け付けた前記記憶媒体の種別に対応する認識形式に基づき初期設定を行う初期設定手段と
を備える記憶媒体読取装置。
【請求項５】
コンピュータを
記憶媒体に搭載された集積回路に記録された情報を読み取る読取手段、
前記読取手段により読み取った情報を認識するための複数種類の認識形式を記憶する記憶手段、
前記記憶手段に記憶した複数種類の認識形式により前記読取手段で読み取った情報の認識を試行する認識試行手段、
前記記憶手段に記憶した複数の認識形式の中で前記認識試行手段で前記情報の認識ができた認識形式を用いて初期設定を行う初期設定手段
として機能させる記憶媒体読取装置の初期設定プログラム。
【請求項６】
コンピュータを
記憶媒体に搭載された集積回路に記録された情報を読み取る読取手段、
前記読取手段により読み取った情報を認識するための複数種類の認識形式を記憶する認識形式記憶手段、
前記記憶媒体の種別を入力する入力手段、
前記記憶手段に記憶した複数の認識形式の中で前記入力手段で入力された前記記憶媒体の種別に対応する認識形式に基づき初期設定を行う初期設定手段
として機能させる記憶媒体読取装置の初期設定プログラム。
【発明の詳細な説明】
【技術分野】
【０００１】
本発明は、記憶媒体読取装置および記憶媒体読取装置の初期設定プログラムに関する。
【背景技術】
【０００２】
近年、消費者は様々な種類のカードを持っている。
【０００３】
そして、銀行のキャッシュカードやクレジット会社が発行するクレジットカードには、従来の磁気カードではなくカード内のＩＣに情報を記録するＩＣカードが存在する。
【０００４】
また、電車料金の決済を自動的に改札口で行える非接触型ＩＣカードや、スーパーで買い物をしたときの決済を自動的に短時間で行える電子マネーとしての非接触型ＩＣカードなども存在する。
【０００５】
また、非接触型ＩＣカードは企業における社員証としても使用され、出入りが制限されるセキュリティルームに入室する時の認証カードとしてその社員証が使用されることもある。
【０００６】
特許文献１には、子カードの発行が行われる際に、端末に発行コマンドや発行データを保持することなく、子カードの即時発行を実現して、子カードの不正な発行を防止し、カード発行システム全体のセキュリティを向上させるカード発行システム、発行端末装置および携帯可能電子装置が提案されている。
【特許文献１】特開２００６−０３１２８６号公報
【発明の開示】
【発明が解決しようとする課題】
【０００７】
非接触型ＩＣカードは、非接触型ＩＣカード読取装置の通信部の前にカードをかざすだけで、読取装置との通信が行われるので手間がかからず便利である。
【０００８】
しかし、先の例で説明すると、電車料金の決済が行われる非接触型ＩＣカードが、スーパーで使用される非接触型ＩＣカードを読み取る読取端末で読み取られると問題である。
【０００９】
このように、非接触型ＩＣカードに搭載されている異なるアプリケーション間において混線状態が発生しないように、非接触型ＩＣカードを読み取るＩＣカード読取装置には読み取るカードに応じて設定を行う必要がある。
【００１０】
このような設定は、ＩＣカード読取装置をシステムに導入する際に行われる。
【００１１】
このＩＣカード読取装置に行われる設定は、その特殊性からＩＣカード読取装置を製作したメーカが行うことが多かった。  しかし、設定に必要なシステムコードなどの情報は顧客企業（ＩＣカード読取装置を運用する企業）にとって大変重要な情報であるため、顧客企業側での情報開示の手続きや情報伝達経路上での暗号化の手続きなど面倒な作業が伴っていた。
【００１２】
そこで、この発明は、ＩＣカード読取装置が設置される際に行われる設定を、顧客企業が簡単に行えるようにする記憶媒体読取装置および記憶媒体読取装置の初期設定プログラムを提供することを目的とする。
【課題を解決するための手段】
【００１３】
上記目的を達成するために、請求項１の発明の記憶媒体読取装置は、記憶媒体に搭載された集積回路に記録された情報を読み取る読取手段と、前記読取手段により読み取った情報を認識するための複数種類の認識形式を記憶する記憶手段と、前記記憶手段に記憶した複数種類の認識形式により前記読取手段で読み取った情報の認識を試行する認識試行手段と、前記記憶手段に記憶した複数の認識形式の中で前記認識試行手段により前記情報の認識ができた認識形式に基づき初期設定を行う初期設定手段とを備えるように構成される。  また、請求項２の発明は、請求項１の発明において、前記認識試行手段により前記情報の認識ができた認識形式を表示する表示手段を更に備え、前記初期設定手段は、前記表示手段に表示された認識形式の中から所望の認識形式の選択を受け付け、該選択を受け付けた認識形式に基づき前記初期設定を行うように構成される。
【００１４】
また、請求項３の発明の記憶媒体読取装置は、記憶媒体に搭載された集積回路に記録された情報を読み取る読取手段と、前記読取手段により読み取った情報を認識するための複数種類の認識形式を記憶する記憶手段と、前記読取手段により読み取った情報の特定の領域の指定を受け付ける指定受付手段と、前記記憶手段に記憶した複数の認識形式の中で前記指定受付手段により受け付けた前記特定の領域を認識対象として含む認識形式に基づき初期設定を行う初期設定手段と、を備えるように構成される。
【００１５】
また、請求項４の発明の記憶媒体読取装置は、記憶媒体に搭載された集積回路に記録された情報を読み取る読取手段と、前記読取手段により読み取った情報を認識するための複数種類の認識形式を記憶する認識形式記憶手段と、前記記憶媒体の種別の入力を受け付ける入力受付手段と、前記記憶手段に記憶した複数の認識形式の中で前記入力受付手段により入力を受け付けた前記記憶媒体の種別に対応する認識形式に基づき初期設定を行う初期設定手段とを備えるように構成される。
【００１６】
また、請求項５の発明の記憶媒体読取装置の初期設定プログラムは、コンピュータを記憶媒体に搭載された集積回路に記録された情報を読み取る読取手段、前記読取手段により読み取った情報を認識するための複数種類の認識形式を記憶する記憶手段、前記記憶手段に記憶した複数種類の認識形式により前記読取手段で読み取った情報の認識を試行する認識試行手段、前記記憶手段に記憶した複数の認識形式の中で前記認識試行手段で前記情報の認識ができた認識形式を用いて初期設定を行う初期設定手段として機能させるように構成される。
【００１７】
また、請求項６の発明の記憶媒体読取装置の初期設定プログラムは、コンピュータを記憶媒体に搭載された集積回路に記録された情報を読み取る読取手段、前記読取手段により読み取った情報を認識するための複数種類の認識形式を記憶する認識形式記憶手段、前記記憶媒体の種別を入力する入力手段、前記記憶手段に記憶した複数の認識形式の中で前記入力手段で入力された前記記憶媒体の種別に対応する認識形式に基づき初期設定を行う初期設定手段として機能させるように構成される。
【発明の効果】
【００１８】
請求項１または請求項５の発明によれば、記憶媒体から情報が読み取られることにより記憶媒体読取装置の初期設定が行われるという効果を奏する。
【００１９】
請求項２の発明によれば、記憶媒体に適合する複数の認識形式の中から一つが選択されて記憶媒体読取装置の初期設定が行われるという効果を奏する。
【００２０】
請求項３の発明によれば、記憶媒体の特定の指定された領域が認識対象として含まれる認識形式によって記憶媒体読取装置の初期設定が行われるという効果を奏する。
【００２１】
請求項４または請求項６の発明によれば、入力された記憶媒体の種別に対応した認識形式に基づいて記憶媒体読取装置の初期設定が行われるという効果を奏する。
【発明を実施するための最良の形態】
【００２２】
本発明に係わる記憶媒体読取装置および記憶媒体読取装置の初期設定プログラムの実施例について添付図面を参照して詳細に説明する。
【００２３】
本発明に係わるＩＣカード読取装置１は、既に運用されているシステムに追加に導入される装置である。
【００２４】
ＩＣカード読取装置１が追加されるシステムについて、図１を参照して説明を行う。
【００２５】
図１は、ＩＣカード読取装置１が追加設置される認証システム８を示した構成図である。
【００２６】
認証システム８は、画像形成装置４（コピー機能、スキャン機能、プリンタ機能、ファクシミリ等の機能を有する）と、個人認証の為の装置としてＩＣカード読取装置３が備えられたパーソナルコンピュータ６、通過ゲート７と、認証情報を蓄積し認証の判断を行う認証サーバ５とが通信回線９を介して接続されて構成され、運用が行われている。
【００２７】
認証システム８は、本発明に係わるＩＣカード読取装置１が追加設置される前に既存の認証システムとして運用が行われており、認証装置としてＩＣカード読取装置３が設置されている。  認証システム８では、個人情報が記録されるカードとして非接触型ＩＣカード３０が使用される。
【００２８】
ＩＣカード読取装置３は、非接触型ＩＣカード３０と非接触の通信を行って、非接触型ＩＣカード３０に記録される情報を読み取ることができる。
【００２９】
そして、ＩＣカード読取装置３によって読み取られた非接触型ＩＣカード３０に記録される認証情報が認証サーバ５で認証されて、その認証結果に応じて、パーソナルコンピュータ６の使用制限や通過ゲート７の通過制限が行われる。
【００３０】
しかし、画像形成装置４には認証情報を読み取る装置が備えられていないので、新たにＩＣカード読取装置１を設置する状況を想定して説明を行う。
【００３１】
本発明に係わるＩＣカード読取装置設定方法及び設定プログラムは、このような認証システム８に新たにＩＣカード読取装置１を設置する際に、古くからあるＩＣカード読取装置３で使用されていた非接触型ＩＣカード３０を新しく設置するＩＣカード読取装置１でも読み取り可能にするためにＩＣカード読取装置１に対して行われる設定方法と設定プログラムである。  このようなＩＣカード読取装置１で行われる設定を設置設定と呼んで説明を行う。
【００３２】
以下、認証システム８に追加設置されるＩＣカード読取装置１について実施例１で説明を行い、また、実施例２では、ＩＣカード読取装置１とは異なるＩＣカード読取装置２が認証システム８に追加設置されることについての説明を行う。
【実施例１】
【００３３】
まず、本発明に係わるＩＣカード読取装置１の構成について図２を参照して説明を行う。
【００３４】
図２は、本発明に係わるＩＣカード読取装置１の構成を示したブロック図である。
【００３５】
図２に示すように、ＩＣカード読取装置１は、表示部１１、操作部１２、通信インタフェース（以下図面と共に通信Ｉ／Ｆと記す）１３、制御部１４、記憶部１５、非接触型ＩＣカード通信部１６を備える。
【００３６】
表示部１１は、ＩＣカード読取装置１の設置設定を行う管理者に、設置設定に関する情報を提供する液晶ディスプレイである。
【００３７】
なお、ＩＣカード読取装置１の設置設定を行う管理者は、認証システム８を利用する顧客企業側の人間であり、ＩＣカード読取装置１を製造して当該顧客企業側に販売するメーカ側の人間ではない。
【００３８】
ＩＣカード読取装置１の設置設定は、メーカ側の人間でなくとも、そのＩＣカード読取装置１を利用する顧客企業側の人間が簡単に行えるものである。
【００３９】
操作部１２は、テンキーや矢印キーで構成され、管理者によって設置設定が行われる際に管理者からの情報を受け付ける。
【００４０】
通信Ｉ／Ｆ１３は、ＩＣカード読取装置１が設置される認証システム８の画像形成装置４と通信ケーブルによって接続される。
【００４１】
制御部１４は、ＩＣカード読取装置１の統括的な制御を行う。
【００４２】
記憶部１５は、各種メモリで構成され、情報を記憶する機能を司り、システムコード記憶部１５１、読取パターン記憶部１５２を備える。
【００４３】
システムコード記憶部１５１は、非接触型ＩＣカード３０を使用する顧客企業毎に設定されるシステムコードを記憶する。
【００４４】
読取パターン記憶部１５２は、認証システム８で使用される非接触型ＩＣカード３０の読取パターン（請求項の認識形式に対応）を予め複数種類記憶する。
【００４５】
非接触型ＩＣカード３０は、使用される顧客企業の違いによって搭載されるアプリケーションが異なり、それぞれ独自の読取パターンを有する。
【００４６】
非接触型ＩＣカード通信部１６は、非接触型ＩＣカード３０と非接触の通信を行い、非接触型ＩＣカード３０に記録される情報を読み取る機能を司る。
【００４７】
次に、非接触型ＩＣカード３０に記録される情報の情報格納構造の一例について図３を参照して説明を行う。
【００４８】
図３は、認証システム８で使用される非接触型ＩＣカード３０の情報格納構造の一例を示す概念図である。
【００４９】
この非接触型ＩＣカード３０は、例えば、認証システム８を運用する顧客企業の社員証として用いられているものであり、システムコード「１２３４５」（参照番号３１）、サービスコード「１００８ｈ」、「１０２８ｈ」、「１０６８ｈ」、「１０８８ｈ」等が記憶される。
【００５０】
このうち、サービスコード「１００８ｈ」に関しては、”０（零）”Ｂｙｔｅ（バイト）から７バイトまでには属性コード別番号が、８バイトから１５バイトまでには有効期限が、１６バイトから３１バイトまでには名前がそれぞれ記憶される。
【００５１】
同様に、サービスコード「１０２８ｈ」、「１０６８ｈ」、「１０８８ｈ」についても、各サービスコード毎に各バイト領域内に図３に示すデータ項目の各情報がそれぞれ記憶される。
【００５２】
次に、認証システム８にＩＣカード読取装置１を追加設置する際に行われる設置設定について、認証システム８で行われる処理について図４を参照して説明を行う。
【００５３】
図４は、認証システム８にＩＣカード読取装置１が追加設置されて、認証システム８で使用されていた非接触型ＩＣカード３０がＩＣカード読取装置１でも使用可能なように、ＩＣカード読取装置１で行われる設置設定の処理について示したフローチャートである。
【００５４】
認証システム８にＩＣカード読取装置１が追加設置される際に行われる設置設定については、図４に示すように、設置設定を行う顧客企業の管理者がＩＣカード読取装置１でパスワード認証などによる個人認証が行われる（ステップ４０１）。
【００５５】
パスワード認証は、ＩＣカード読取装置１の操作部１２より管理者が入力したパスワードと予め記憶部１５に記憶されるパスワードとの一致が確認されることにより行われる。
【００５６】
管理者の個人認証がパスすると（ステップ４０１でＹＥＳ）、ＩＣカード読取装置１の表示部１１に、設置設定モードを選択する図５に示すモード選択画面１１１ａが表示される（ステップ４０２）。
【００５７】
図５に示すモード選択画面１１１ａには、管理者が選択できる設置設定モードとして「基本モード」、「パターン指定モード」、「領域指定モード」の３種類のモードが表示される。
【００５８】
「基本モード」は、読取パターン記憶部１５２に記憶される複数種類の読取パターンに基づいてかざされる非接触型ＩＣカード３０の情報が読み取られ、複数種類の読取パターンの中からかざされる非接触型ＩＣカード３０に適合する読取パターンが探し出されて、そのパターンに基づいてかざされる非接触型ＩＣカード３０内に記録される設置設定に必要なシステムコードなどの初期設定情報が読み取られる設置設定モードである。  また、「パターン指定モード」は、かざされる非接触型ＩＣカード３０の読取パターンを管理者が指定して非接触型ＩＣカード３０から設置設定に必要なシステムコードなどの初期設定情報が読み取られる設置設定モードである。  また、「領域指定モード」は、かざされる非接触型ＩＣカード３０の読取パターンが特定されずに非接触型ＩＣカードに記録された情報を全て読み出し、その読み出された全ての情報の中から設置設定に必要な初期設定情報が記録される領域を管理者自身が指定し、その領域から初期設定情報が読み取られる設置設定モードである。
【００５９】
表示部１１に表示されたモード選択画面１１１ａより「基本モード」が選択されると（ステップ４０３で基本モード）、表示部１１に「カードをかざしてください」という案内が表示される（ステップ４０４）。  管理者は、その案内に従い、ＩＣカード読取装置１の設置前に認証システム８で使用されていた非接触型ＩＣカード３０をＩＣカード読取装置１の非接触型ＩＣカード通信部１６にかざす。
【００６０】
非接触型ＩＣカード３０がかざされると、制御部１４が、読取パターン記憶部１５２に記憶される複数種類の読取パターンに基づいて非接触型ＩＣカード３０に記録される情報の読み取りを行う（ステップ４０５）。
【００６１】
情報の読み取りが行われた結果、かざされた非接触型ＩＣカード３０に適合する読取パターンが複数存在した場合には（ステップ４０６でＹＥＳ）、適合した複数の読取パターンを図６に示すように表示部１１に表示する（ステップ４０７）。  ステップ４０７では、図６に示すようにパターン選択画面１１１ｂが表示部１１１に表示される。  パターン選択画面１１１ｂでは、適合した複数の読取パターン（「社員証パターン」、「マネーカードパターン」）が表示され、管理者が読取パターンを一つ選択するように促される。
【００６２】
管理者は、このように表示部１１１に表示されたパターン選択画面１１１ｂから読取パターンが一つ選択し、操作部１２より選択した読取パターンを入力する。  管理者によって入力された読取パターンは、制御部１４に受け付けられる（ステップ４０８）。  制御部１４に受け付けられた読取パターンと同じ読取パターン記憶部１５２に記憶される当該読取パターンにフラグが立てられ、ステップ４０８で制御部１４に受け付けられた読取パターンの種類が記憶される。
【００６３】
そして、制御部１４が受け付けた読取パターンに基づいて、かざされた非接触型ＩＣカード３０から設置設定に必要なシステムコードなどの初期設定情報が制御部１４によって読み取られる（ステップ４０９）。  なお、ステップ４０６で、かざされた非接触型ＩＣカード３０に適合する読取パターンが一つだけであった場合には（ステップ４０６でＮＯ）、適合した読取パターンに基づいて、かざされた非接触型ＩＣカード３０から設置設定に必要なシステムコードなどの初期設定情報が制御部１４によって読み取られる（ステップ４０９）。
【００６４】
ステップ４０９で設置設定に必要なシステムコードなどの初期設定情報が読み取られると、システムコード記憶部１５１は、読み取った初期設定情報を記憶する（ステップ４１０）。
【００６５】
また、ステップ４０３で、モード選択画面１１１ａより「パターン指定モード」が選択されると（ステップ４０３でパターン指定モード）、読取パターン記憶部１５２に記憶される読取パターンが、図７に示すようにＩＣカード読取装置１の表示部１１に表示される（ステップ４１１）。  ステップ４１１では、図７に示すようにパターン指示画面１１１ｃが表示部１１１に表示される。  パターン指示画面１１１ｃでは、読取パターン記憶部１５２に記憶される読取パターン（「社員証パターン」、「通過許可証パターン」、「マネーカードパターン」などの読取パターンの種別）が表示され、管理者が読取パターンを一つ指定するように促される。
【００６６】
管理者は、このように表示部１１１に表示されたパターン指示画面１１１ｃから読取パターンを一つ指定し、操作部１２より指定する読取パターンの種別を入力する。  管理者によって入力された読取パターンは、制御部１４に受け付けられる（ステップ４１２）。  制御部１４に受け付けられた読取パターンと同じ読取パターン記憶部１５２に記憶される当該読取パターンにフラグが立てられ、ステップ４１２で制御部１４に受け付けられた読取パターンの種別が記憶される。
【００６７】
そして、表示部１１に「カードをかざしてください」という案内が表示される（ステップ４１３）。  管理者は、その案内に従い、ＩＣカード読取装置１の設置前に認証システム８で使用されていた非接触型ＩＣカード３０を非接触型ＩＣカード通信部１６にかざす。
【００６８】
非接触型ＩＣカード３０がかざされると、制御部１４が、ステップ４１２で受け付けた読取パターンに基づいて、かざされた非接触型ＩＣカード３０から設置設定に必要なシステムコードなどの初期設定情報を読み取る（ステップ４１４）。
【００６９】
ステップ４１４で設置設定に必要なシステムコードなどの初期設定情報が読み取られると、システムコード記憶部１５１は、読み取った初期設定情報を記憶する（ステップ４１０）。
【００７０】
また、ステップ４０３で、モード選択画面１１１ａより「領域指定モード」が選択されると（ステップ４０３で領域指定モード）、表示部１１に「カードをかざしてください」という案内が表示される（ステップ４１５）。  管理者は、その案内に従い、ＩＣカード読取装置１の設置前に認証システム８で使用されていた非接触型ＩＣカード３０をＩＣカード読取装置１の非接触型ＩＣカード通信部１６にかざす。
【００７１】
非接触型ＩＣカード３０がかざされると、制御部１４が、特定の読取パターンに基づかずに、かざされた非接触型ＩＣカード３０の情報を全て読み出す（ステップ４１６）。
【００７２】
そして、制御部１４は、ステップ４１６で読み出した情報を表示部１１に表示する（ステップ４１７）。
【００７３】
表示部１１に非接触型ＩＣカード３０の情報が全て表示されると、管理者は、図８に示すように、表示された情報の中から、設置設定に必要な初期設定情報などが記される領域を操作部１２を使用して指定する。  初期設定情報には、システムコードも含まれる。  図８は、ステップ４１６で読み出した非接触型ＩＣカードの全ての情報８００から、管理者によって初期設定情報などが記される領域が指定される様子を示した概念図である。  管理者は、非接触型ＩＣカードの情報の中でどこからどこまでの情報がそのカードで使用される情報なのかを知っているので、非接触型ＩＣカードの中から読み取る領域を一つまたは複数指定する。  そのように管理者によって指定された領域を制御部１４が受け付ける（ステップ４１８）。
【００７４】
制御部１４は、管理者によって指定された領域を受け付けて、かざされた非接触型ＩＣカード３０の指定された領域から設置設定に必要な初期設定情報などを読み取る（ステップ４１９）。
【００７５】
ステップ４１９で設置設定に必要な初期設定情報などが読み取られると、読み取られた情報に基づいてかざされた非接触型ＩＣカード３０の読取パターンが制御部１４によって読取パターン記憶部１５２に記憶される読取パターンから一つ選択される。  選択される読取パターンは、ステップ４１９で読み取られた情報を読取対象として含むものである。  そして、選択された読取パターンにはフラグが立てられ（ステップ４２０）、また、読み取られた初期設定情報がシステムコード記憶部１５１に記憶される（ステップ４１０）。
【００７６】
このように、３種類のいずれのモードにおいてもＩＣカード読取装置１の設置設定が顧客企業の管理者によって行われるので、システム情報などの重要な情報をメーカ側の人間に伝えなくて良い。
【００７７】
ＩＣカード読取装置１の設置設定が終了した後での認証システム８の通常の運用に際して、ＩＣカード読取装置１にかざされる非接触型ＩＣカード３０の読み取りは、各モードで選択された読取パターン（ステップ４０８、ステップ４１２で受け付けた読取パターン、ステップ４０６でＮＯとなった読取パターン、ステップ４２０で選択された読取パターン）とステップ４１０で記憶された初期設定情報に基づいて行われる。
【実施例２】
【００７８】
次に、認証システム８に追加設置されるＩＣカード読取装置２について添付図面を参照して説明を行う。
【００７９】
ＩＣカード読取装置２は、実施例１で説明したＩＣカード読取装置１とは異なり、設置設定に必要なシステムコードなどの初期設定情報を記憶するシステムコード記憶部１５１を備えておらず、装置内に初期設定情報を記憶しない。
【００８０】
まず、本発明に係わるＩＣカード読取装置２の構成について図９を参照して説明を行う。
【００８１】
図９は、本発明に係わるＩＣカード読取装置２は、表示部２１、操作部２２、通信Ｉ／Ｆ２３、制御部２４、記憶部２５、非接触型ＩＣカード通信部２６を備える。
【００８２】
表示部２１は、ＩＣカード読取装置２の設置設定を行う管理者に、設置設定に関する情報を提供する液晶ディスプレイである。
【００８３】
なお、ＩＣカード読取装置２の設置設定を行う管理者は、認証システム８を利用する顧客企業側の人間であり、ＩＣカード読取装置２を製造して当該顧客企業側に販売するメーカ側の人間ではない。
【００８４】
ＩＣカード読取装置２の設置設定は、メーカ側の人間でなくとも、そのＩＣカード読取装置２を運用する顧客企業側の人間が簡単に行えるものである。
【００８５】
操作部２２は、テンキーや矢印キーで構成され、管理者によって設置設定が行われる際に管理者からの情報を受け付ける。
【００８６】
通信Ｉ／Ｆ２３は、ＩＣカード読取装置２が設置される認証システム８の画像形成装置４と通信ケーブルによって接続される。
【００８７】
制御部２４は、ＩＣカード読取装置２の統括的な制御を行う。
【００８８】
記憶部２５は、各種メモリで構成され、情報を記憶する機能を司り、読取パターン記憶部２５１を備える。
【００８９】
読取パターン記憶部２５１は、認証システム８で使用される非接触型ＩＣカード３０の読取パターンを予め複数種類記憶する。
【００９０】
非接触型ＩＣカード３０は、使用される顧客企業の違いによって搭載されるアプリケーションが異なり、カードから必要な情報を読み取る為にそれぞれ独自の読取パターンを有する。
【００９１】
非接触型ＩＣカード通信部２６は、非接触型ＩＣカード３０と非接触の通信を行い、非接触型ＩＣカード３０に記録される情報を読み取る機能を司る。
【００９２】
次に、認証システム８にＩＣカード読取装置２を追加設置する際に、認証システム８で使用されていた非接触型ＩＣカード３０をＩＣカード読取装置２で使用できるように、ＩＣカード読取装置２で行われる設置設定の処理について図１０を参照して説明を行う。
【００９３】
図１０は、ＩＣカード読取装置２が追加設置される際に、ＩＣカード読取装置２で行われる設置設定の処理について示したフローチャートである。
【００９４】
認証システム８にＩＣカード読取装置２が追加設置される際に行われる設置設定については、図１０に示すように、設置設定を行う管理者がＩＣカード読取装置１でパスワード認証などによる個人認証が行われる（ステップ１００１）。
【００９５】
パスワード認証は、ＩＣカード読取装置２の操作部２２より管理者が入力したパスワードと予め記憶部２５に記憶されるパスワードとの一致が確認されることにより行われる。
【００９６】
管理者の個人認証がパスすると（ステップ１００１でＹＥＳ）、ＩＣカード読取装置２の表示部２１に、「カードをかざしてください」という案内が表示される（ステップ１００２）。  管理者は、その案内に従い、ＩＣカード読取装置２の設置前に認証システム８で使用されていた非接触型ＩＣカード３０をＩＣカード読取装置２の非接触型ＩＣカード通信部２６にかざす。
【００９７】
非接触型ＩＣカード３０がかざされると、制御部２４が、読取パターン記憶部２５１に記憶される複数種類の読取パターンに基づいて非接触型ＩＣカード３０に記録される情報の読み取りを行う（ステップ１００３）。
【００９８】
そして、制御部２４は、ステップ１００３で行った読み取りの結果に基づいて、かざされた非接触型ＩＣカード３０の種類を特定し、そのカードの種類に応じた読み取りパターンを特定する（ステップ１００４）。
【００９９】
ＩＣカード読取装置２の設置設定が終了した後での認証システム８の通常の運用に際して、ＩＣカード読取装置２にかざされる非接触型ＩＣカード３０の読み取りは、ステップ１００４で特定された読み取りパターンに従って行われる。
【０１００】
なお、ＩＣカード読取装置２の設置設定が終了した後での認証システム８の通常の運用に際してＩＣカード読取装置２にかざされる非接触型ＩＣカード３０から管理者により特定された項目（社員番号、名前など）が読み取られるように、管理者がステップ１００４で表示部２１から表示される情報に基づいて操作部２２に情報を入力することで設定を行うことも可能である。
【産業上の利用可能性】
【０１０１】
この発明は、記憶媒体読取装置および記憶媒体読取装置の初期設定プログラムにおいて利用可能である。
【０１０２】
また、上記実施の形態の機能を実現するためのソフトウェアのプログラムが記録されている記録媒体を供給し、通信装置などで記録媒体に格納されたプログラムを読み出し実行することによっても、上記実施の形態と同様の効果を奏する。  プログラムを供給するための記憶媒体としては、例えば、ＣＤ−ＲＯＭ(Compact Disk Read Only Memory)、ＤＶＤ(Digital Versatile Disk)、及びＳＤカード(Secure Digital memory card)などや、プログラムを供給するサーバなどであっても良い。
【図面の簡単な説明】
【０１０３】
【図１】ＩＣカード読取装置１が追加設置される認証システム８の構成図。
【図２】ＩＣカード読取装置１の構成を示したブロック図。
【図３】非接触型ＩＣカード３０の情報格納構造の一例を示す概念図。
【図４】ＩＣカード読取装置１での設置設定の処理を示すフローチャート。
【図５】モード選択画面１１１ａを示す画面構成図。
【図６】パターン選択画面１１１ｂを示す画面構成図。
【図７】パターン指示画面１１１ｃを示す画面構成図。
【図８】非接触型ＩＣカード３０の全ての情報から領域指定が行われる様子を示す概念図。
【図９】ＩＣカード読取装置２の構成を示したブロック図。
【図１０】ＩＣカード読取装置２での設置設定の処理を示すフローチャート。
【符号の説明】
【０１０４】
１    ＩＣカード読取装置（本発明に係わる）
２    ＩＣカード読取装置（本発明に係わる）
３    ＩＣカード読取装置（既存）
４    画像形成装置
５    認証サーバ
６    パーソナルコンピュータ
７    通過ゲート
８    認証システム
９    通信回線
１１    表示部
１２    操作部
１３    通信Ｉ／Ｆ
１４    制御部
１５    記憶部
１６    非接触型ＩＣカード通信部
２１    表示部
２２    操作部
２３    通信Ｉ／Ｆ
２４    制御部
２５    記憶部
２６    非接触型ＩＣカード通信部
３０    非接触型ＩＣカード
１１１ａ    モード設定画面
１１１ｂ    パターン選択画面
１１１ｃ    パターン指示画面
８００    非接触型ＩＣカードの全ての情報
【図１】
2008282087.tif 000003
【図２】
2008282087.tif 000004
【図３】
2008282087.tif 000005
【図４】
2008282087.tif 000006
【図５】
2008282087.tif 000007
【図６】
2008282087.tif 000008
【図７】
2008282087.tif 000009
【図８】
2008282087.tif 000010
【図９】
2008282087.tif 000011
【図１０】
2008282087.tif 000012